(57)【特許請求の範囲】
【請求項１】
呼出ランプが取付けられるランプ板、及び前記ランプ板の上方に開閉自在として設けられた幕板を備え、所定のパチンコ遊技機が固定されるものであるパチンコ遊技機設置台ユニット、に取付けて用いられるものであり、パチンコ遊技機を前記パチンコ遊技機設置台ユニットに着脱自在に固定する固定機構を備えたパチンコ遊技機の取付け装置であって、
前記ランプ板の背後に固定される第１部材と、
その一部がパチンコ遊技機の上方部分に固定されると共に、当該パチンコ遊技機の前後方向での位置を任意に位置決め可能として前記第１部材に取付けられていることで、前記第１部材に対する相対的な位置を任意に位置決めすることによりパチンコ遊技機に適度な傾斜角を与えられるようになっている第２部材と、
前記第２部材の前記第１部材に対する相対的な位置を調整するために操作される第１操作部と、
前記第１部材に対する相対的な位置を任意に位置決めさせるべく前記第２部材を前記第１部材に対して前後動させるための前後動機構と、
前記前後動機構と、前記第１操作部とを接続するものであり、前記第１操作部でした操作を前記前後動機構に伝達するものとされているとともに、棒状体であり前記前後動機構から上方に延びるようにされた第１リンク機構と、
を備えており、
前記第１操作部は、前記幕板を開いた場合に外部からそれを操作することにより前記第１リンク機構を介して前記前後動機構を操作できるようにするために、前記幕板を開いた場合に覗く前記幕板の後側の空間のうち前記ランプ板の上端よりも上方の部分に位置するようになっている、
パチンコ遊技機の取付け装置。
【請求項２】
前記第２部材は、回転させることにより前記パチンコ遊技機の前後方向での位置を任意に位置決めさせることができるものであり、前記第１部材に固定されたその内周にネジ切りのされたナットと螺合されたその外周にネジ切りのされたボルトを含んでおり、
前記第１リンク機構は、前記第１操作部の操作に応じて、前記ボルトを回転させるようになっている、
請求項１記載のパチンコ遊技機の取付け装置。
【請求項３】
棒状体である前記第１リンク機構は、前記ボルトと前記第１操作部とを繋ぐようになっているとともに、前記ボルトを中心として、前記ボルトに垂直な平面内において一定の角度内で回転運動を行えるようにされている、
請求項２記載のパチンコ遊技機の取付け装置。
【請求項４】
前記固定機構は、前記パチンコ遊技機を上側から下方に押圧することのできる押圧部材を備えており、且つ前記押圧部材は前記パチンコ遊技機を押圧する第１位置と第２位置の少なくとも２つの位置に位置決めできるようにされているとともに、
前記押圧部材を前記第１位置又は前記第２位置の任意の方に位置決めさせるために操作される第２操作部と、
前記固定機構と、前記第２操作部とを接続するものであり、前記第２操作部でした操作を前記固定機構の前記押圧部材に伝達する第２リンク機構と、
を備えており、
前記第２操作部は、前記ランプ板の上端よりも上方の、前記幕板を開いた場合に覗く前記幕板の後側の空間に位置するようにされ、前記幕板を開いた場合に外部から操作できるようになっている、
請求項１記載のパチンコ遊技機の取付け装置。
【発明の詳細な説明】
【技術分野】
【０００１】
本発明は、パチンコ遊技機を、パチンコ遊技機設置台ユニットに取付けるために用いられるパチンコ遊技機の取付け装置に関する。
【背景技術】
【０００２】
パチンコ遊技機（以下、本願明細書ではこれを、単に『遊技機』という場合がある。）が一般店舗で使用される場合、パチンコ遊技機設置台ユニットに取付けられる。一般的には島と呼ばれるものであるパチンコ遊技機設置台ユニット（以下、簡単のため、これが島であることにして話を進める。）には、並列に多数のパチンコ遊技機が取付けられる。
【０００３】
パチンコ遊技機の島への取付けは従来、以下のように行われている。
遊技機は、通常は４枚の板材を矩形に組合わせて作られる所定幅の枠体の内側に固定した後、その枠体を島に固定することにより、島に取付けられる。
従来の枠体の島への取付けは、島のテーブルの上に枠体を載置した上で、枠体が木製であるのが通常であるということもあり、釘や木ねじなどを用いて行っている。
【０００４】
他方、パチンコ遊技機は、その盤面に適度な傾斜を与えることによって出玉の調整を行えることが知られている。パチンコ遊技機の盤面が水平に近い角度になればなる程、球は釘によくからむようになることを利用したものである。パチンコ遊技機取付けの際に適度な傾斜を与えたり、事後的にその調節を行えるようにすることで、釘の調節を行った場合と同様の効果をより簡易に得られるようになる。
【０００５】
このような点を考慮すれば、島に取付けられた後のパチンコ遊技機の傾斜を事後的に変化させられれば便利である。しかしながら、釘や木ねじを用いてパチンコ遊技機を取付けの枠を島に固定してしまうと、パチンコ遊技機の傾斜を事後的に変化させるのは殆ど不可能となる。釘や木ねじを使用して行う従来の枠体の島への固定は、固定の際にも、一度島へ固定した枠体を島から取外す際にも手間がかかるという当然な不具合に加え、このような不具合も有するのである。
【０００６】
本願出願人は、このような点を考慮して、特願２００５−１９４４５３、特願２００８−９８５０などの出願をしている。これらは、パチンコ遊技機を、その傾斜角を可変としてパチンコ遊技機設置用ユニットに固定するための器具に関する。
【０００７】
これらに開示の発明は、パチンコ遊技機を島に着脱自在に取付ける機能と、島に取付けられたパチンコ遊技機の傾斜角を事後的に変化させる機能とを兼ね備えたものとされている。
したがって、これらに開示のパチンコ遊技機の取付け装置は極めて有用といえる。
【０００８】
しかしながら、これらパチンコ遊技機にも改良すべき点がないわけではない。
かかる改良が求められる点の説明に先立ち、まず、従来の島の構造について説明する。
島は通常、その上部に、島の長さ方向に沿う開口を備える。この開口には、開口を塞ぐ板が取り付けられている。この板は一枚物の場合もあるが、呼出ランプが取付けられるランプ板と、ランプ板の上方に位置する幕板とに分割されている場合が多い。ランプ板と幕板の背後には、呼出ランプを制御するための回路、遊技機から出力されるデータを一般的には島の外部にある出玉の管理等を行なうコンピュータに出力するための回路、或いは台間玉貸機の制御を行なうための回路等が必要に応じて収納される。また、多くの場合幕板は開閉自在とされており、それを開くことにより、島の上方に設けられた、玉供給用のトイが玉詰まりを起こした場合や、島の上方でなされた配線に異常が生じた場合などに対処できるようになっている。
【０００９】
特願２００５−１９４４５３、特願２００８−９８５０に開示のパチンコ遊技機の取付け装置は従来、ランプ板の背後に取付けられる。そして、このパチンコ遊技機の取付け装置は、その正面にあるボルトの頭に設けられた断面六角形の穴に六角レンチの先端を挿入しボルトを回転させることにより、パチンコ遊技機の傾斜角の調整を行えるようになっているのであるが、それを可能とするためランプ板には六角レンチをランプ板の背後に挿入するための孔が穿たれる。
【００１０】
かかる孔が問題となるのである。
まずセキュリティ面での問題が生じる。ランプ板に孔が穿たれると、遊技機の背面に対して何らかの器具を挿入するなど、遊技に関する不正を行なう機会を遊技者に与えるおそれがある。
また、遊技者に不安を与えるという問題が生じる。遊技機を用いて行われる遊技には、例えば遊技者保護等の観点から様々な規制が存在しているが、ランプ板に孔が穿たれたのに気付いた遊技者は、ホールが遊技者に何らかの不利を与えるための工作を行なったのではないかとの疑念を抱くことになる。
ランプ板に設けた孔は従来、小さな飾板などで目隠しされるのが通例であったが、飾板は孔を介しての六角レンチの挿入を可能とするために着脱自在とされるため、それでもなおセキュリティ面での問題は解消しない。また、孔を直接目にしないとはいえ、従前は存在しなかった飾板を目にした遊技者は、孔が穿たれたとまでは思わないまでも、何らかの工作があったことを予感する可能性があるため、遊技者に不安を与える可能性もやはり拭い去れない。
【発明の概要】
【発明が解決しようとする課題】
【００１１】
そこで、本発明は、パチンコ遊技機をパチンコ遊技機設置台ユニットに着脱自在に取付ける機能と、パチンコ遊技機設置台ユニットに取付けられたパチンコ遊技機の傾斜角を事後的に変化させる機能とを兼ね備えたパチンコ遊技機の取付け装置を、ランプ板に孔を穿たなくとも使用できるように改良することをその課題とする。
【課題を解決するための手段】
【００１２】
本願発明者は、上述の課題を解決するために、以下の発明を提案する。
本願発明は、呼出ランプが取付けられるランプ板、及び前記ランプ板の上方に開閉自在として設けられた幕板を備え、所定のパチンコ遊技機が固定されるものであるパチンコ遊技機設置台ユニット、に取付けて用いられるものであり、パチンコ遊技機を前記パチンコ遊技機設置台ユニットに着脱自在に固定する固定機構を備えたパチンコ遊技機の取付け装置である。
そして、パチンコ遊技機の取付け装置（以下、単に「取付け装置」と呼ぶ場合がある。）は、前記ランプ板の背後に固定される第１部材と、その一部がパチンコ遊技機の上方部分に固定されると共に、当該パチンコ遊技機の前後方向での位置を任意に位置決め可能として前記第１部材に取付けられていることで、前記第１部材に対する相対的な位置を任意に位置決めすることによりパチンコ遊技機に適度な傾斜角を与えられるようになっている第２部材と、前記第２部材の前記第１部材に対する相対的な位置を調整するために操作される第１操作部と、前記第１部材に対する相対的な位置を任意に位置決めさせるべく前記第２部材を前記第１部材に対して前後動させるための前後動機構と、前記前後動機構と、前記第１操作部とを接続するものであり、前記第１操作部でした操作を前記前後動機構に伝達する第１リンク機構と、を備えている。
そして、前記第１操作部は、前記ランプ板の上端よりも上方の、前記幕板を開いた場合に覗く前記幕板の後側の空間に位置するようにされ、前記幕板を開いた場合に外部から操作できるようになっている。
このようなパチンコ遊技機の取付け装置は、固定機構によりパチンコ遊技機を島に着脱自在に取付ける機能が、また、第１部材と第２部材の組合わせにより島に取付けられたパチンコ遊技機の傾斜角を事後的に変化させる機能が、それぞれ担保される。
のみならずこの取付け装置では、前記第１部材に対する相対的な位置を任意に位置決めさせる前後動機構を駆動させるものである第１操作部が、第１リンク機構を介して幕板の後側の空間に位置するようにされている。このように第１操作部を上方に移動させることにより、前後動機構を駆動させるための第１操作部の操作を、幕板を開いた状態で例えば開いた幕板の間の隙間から手を入れて行えるようになるため、ランプ板に孔を穿つ必要がなくなる。
【００１３】
第１部材に対する第２部材の前後動（以下、単に「前後」といった場合には、その方向はパチンコ遊技機の前後方向に準じる。）を実現するための機構は、直線運動を行わせるための公知のどのような機構を採用しても良い。
例えば、前記第２部材は、回転させることにより前記パチンコ遊技機の前後方向での位置を任意に位置決めさせることができるものであり、前記第１部材に固定されたその内周にネジ切りのされたナットと螺合されたその外周にネジ切りのされたボルトを含んでいてもよい。
この場合、前記第１リンク機構は、前記第１操作部の操作に応じて、前記ボルトを回転させるようになっていてもよい。この場合、第１リンク機構が、第１操作部の操作をどのような仕組でボルトの回転運動に変換するかは自由である。
【００１４】
第２部材がボルトを備える場合、前記第１リンク機構は、前記ボルトと前記第１操作部とを繋ぐ棒状体であり、前記ボルトを中心として、前記ボルトに垂直な平面内において一定の角度内で回転運動を行えるようにされていてもよい。
幕板の後側の空間には、呼出ランプを制御するための回路、遊技機から出力されるデータを一般的には島の外部にある出玉の管理等を行なうコンピュータに出力するための回路、或いは台間玉貸機の制御を行なうための回路等の様々な機器が存在する場合がある。そのような場合、棒状体である第１リンク機構は、幕板の後側の空間にある機器と干渉するおそれがある。第１リンク機構に上述の如き回転運動を許容すれば、幕板の後側の空間にある機器との干渉を避けられる可能性が高まり、本願発明の取付け装置を使用できる可能性が高まる。
【００１５】
本願発明における固定機構は、パチンコ遊技機をどのようにしてパチンコ遊技機設置台ユニットに固定するようなものであってもよい。
例えば、前記固定機構は、前記パチンコ遊技機を上側から下方に押圧することのできる押圧部材を備えており、且つ前記押圧部材は前記パチンコ遊技機を押圧する第１位置と第２位置の少なくとも２つの位置に位置決めできるようにされていてもよい。その場合、本願発明による取付け装置は、前記押圧部材を前記第１位置又は前記第２位置の任意の方に位置決めさせるために操作される第２操作部と、前記固定機構と、前記第２操作部とを接続するものであり、前記第２操作部でした操作を前記固定機構の前記押圧部材に伝達する第２リンク機構と、を備えており、前記第２操作部は、前記ランプ板の上端よりも上方の、前記幕板を開いた場合に覗く前記幕板の後側の空間に位置するようにされ、前記幕板を開いた場合に外部から操作できるようになっていてもよい。
このようにして第２操作部を幕板の後側の空間に位置させることにより、遊技機の傾斜角の調整のみならず、遊技機のパチンコ遊技機設置台ユニットへの固定及びその解除をも幕板を開くことにより行えるようになるため、ランプ板に遊技機のパチンコ遊技機設置台ユニットへの固定及びその解除を行うための孔を穿つ必要もなくなる。
【図面の簡単な説明】
【００１６】
【図１】本実施形態による取付け装置により島に取付けられる枠体の構成を示す斜視図。
【図２】本実施形態による取付け装置が取付けられる島の構成を示す側断面図。
【図３】本実施形態による取付け装置をやや右よりの前方から見た状態を示す斜視図。
【図４】本実施形態による取付け装置をやや右よりの後方から見た状態を示す斜視図。
【図５】本実施形態による取付け装置の正面図。
【図６】本実施形態による取付け装置の背面図。
【図７】本実施形態による取付け装置の平面図。
【図８】本実施形態による取付け装置の右側面図。
【図９】本実施形態による取り付け装置の収納部材端部の拡大図。
【図１０】本実施形態による取り付け装置の内部構造を示す断面図。
【図１１】本実施形態による取り付け装置のベースに設けられる可動部材を貫通させるための孔を示す図。
【図１２】本実施形態による取り付け装置の当接部材付近を模式的に示した側面図。
【図１３】本実施形態による取り付け装置の変形例の構成を説明するための図。
【発明を実施するための形態】
【００１７】
以下に、本願発明を実施するための最良の一実施形態を、図面を参照しつつ説明する。
【００１８】
この実施形態によるパチンコ遊技機の取付け装置は、パチンコ遊技機設置台ユニットとしての島にパチンコ遊技機を着脱自在に取付けるためのものである。この実施形態における取付け装置は、遊技機を島に着脱自在に取付ける機能と、島に取付けられた遊技機の傾斜角を事後的に変化させる機能とを兼ね備えたものとなっている。
【００１９】
この実施形態によるパチンコ遊技機の取付け装置により島に取付けられる遊技機は、図１の斜視図に示したような枠に取付けた状態で島に取付けられる。
この実施形態の枠体２００は、必ずしもこの限りではないが、木製である。枠体２００は、所定幅の４枚の板状の部材を矩形に組合わせてなる。枠体２００を作る上下左右の各部材の幅は、この実施形態では等しくされている。つまり、この実施形態では、枠体２００の前後方向の長さは枠体２００のすべての部分で等しい。また、枠体２００を構成する４枚の板状の部材の厚みは、必ずしもこの限りではないが、上と左右の部材の厚みよりも下の部材の厚みが、大きくなるようにされている。
枠体２００の内側の空間には、図示を省略の遊技機が嵌め込まれ固定される。かかる遊技機の枠体２００に対する固定は従来から普通に行われているので、適当な周知技術を用いて行うことができる。
【００２０】
次に、上述の枠体２００に嵌めこまれた遊技機が取付けられる島について説明する。もっとも、この島も、基本的には極めてありふれたものである。
図２に島４００の断面図を示す。図２において、左側が遊技機の前面方向である。
島４００は木材を組合わせて出来ている。図示を省略しているが、島４００は縦方向に延びる多数の柱を備えている。多数の柱の隣合うもの同士は、横方向に延びる梁や、後述するテーブル、上板などにより互いに連結されている。
島４００は、図示を省略のテーブルを備えている。テーブルは板材により形成されており、下から７０〜８０ｃｍ程度の高さに水平に取付けられている。テーブルは、その上に、遊技機をその内部に固定された上述の枠体２００を載置するためのものである。
島４００の最上方ではないが上方には、水平板４１０が設けられている。水平板４１０は板材であり、上述の柱の間に水平に渡されている。水平板４１０には、後述する可動部材が貫通するための孔が鉛直方向に２箇所穿たれている。
【００２１】
島４００の前側の水平板４１０の上方には、ランプ板４２０が取付けられている。ランプ板４２０は板材であり、その幅方向が鉛直となるようにして島４００に取付けられている。ランプ板４２０は、固定的に島４００に取付けられている。
ランプ板４２０の前面には、周知の呼出ランプ４２１が取付けられる。ランプ板４２０の後面側には、呼出ランプ４２１を制御するための図示せぬ制御回路等が存在するが、これは取付け装置１００とは干渉しないようにされる。ランプ板４２０には、制御回路と呼出ランプ４２１とを接続するためのケーブルを通過させるための孔が穿たれているが、これも図２においては記載を省略している。
【００２２】
水平板４１０の更に上方には、幕板４３０が取付けられている。幕板４３０は板材であり、その幅方向が鉛直となるようにして島４００に取付けられている。幕板４３０の上端は、ヒンジ４４０を介して島４００を構成する天板４５０に取付けられている。天板４５０は、板材であり、上述の柱の間に水平に渡されている。幕板４３０は、図２の矢印で示したようにヒンジ４４０を中心として回転運動を行なえるようになっており、島４００に対して開閉できるようになっている。
天板４５０と水平板４１０に挟まれた空間には、上述の取付け装置や、その他の機器が置かれる。幕板４３０が開閉自在とされているのは、幕板４３０を開いた状態で、取付け装置やその他の機器の操作やメンテナンスを行えるようにするためである。かかる操作やメンテナンスを行い易くするため、必ずしもこの限りではないが幕板４３０は、島４００に対して略水平な状態（つまり、幕板４３０を開いた状態）で、その位置を固定できるようになっている。
【００２３】
次いで、取り付け装置１００について説明する。取り付け装置１００は、図３〜図１２に示したように構成されている。
取り付け装置１００は、水平板４１０の上面に取付けられる。取り付け装置１００の水平板４１０への取付は、木ねじ、ボルトなどを用いて適当に行えばよい。
【００２４】
図３は、取付け装置１００をやや右よりの前方から見た状態を示す斜視図、図４は、取付け装置１００をやや右よりの後方から見た状態を示す斜視図、図５は、取付け装置１００の正面図、図６は、取付け装置１００の背面図、図７は、取付け装置１００の平面図、図８は、取付け装置１００の右側面図である。
【００２５】
この実施形態の取り付け装置１００は、ベース部材１１０を備えている。ベース部材１１０は、板状である。この実施形態のベース部材１１０は、水平板４１０の上面よりも一回り小さい略矩形の主ベース部１１１と、主ベース部１１１の長手方向の両端部から後側に延びる固定アーム部１１２とを備えている。ベース部材１１０には、固定用の孔１１１Ａが穿設されている。ベース部材１１０を水平板４１０に載せ、孔１１１Ａを貫通させた状態で水平板４１０にボルトを打ち込むなどして、ベース部材１１０は水平板４１０に固定されることになる。なお、そのとき、固定アーム部１１２の先端は、水平板４１０の後側に食み出してもよい。主ベース部１１１には、図示を省略するが、後述する２つの可動部材をそれぞれ貫通させるための孔が設けられている。これら孔は、可動部材の後述する前後動を許容するため、前後方向に所定の長さを有している。
【００２６】
固定アーム部１１２には、この実施形態では、図示を省略の孔の穿たれた断面コの字型の固定コの字金具１１２Ａが固定されている。この固定コの字金具１１２Ａにはまた、その孔の内周面にネジ切りのされたナット１１２Ｂがその孔と固定コの字金具１１２Ａの孔と位置合わせをさせた状態で固定されている。
【００２７】
ベース部材１１０の上には、収納部材１２０が載せられている。
収納部材１２０は、この実施形態では、断面略矩形の筒状に形成された収納部１２１と、収納部１２１の長さ方向の両端部付近から後方側に延びる平面視で略Ｌ字形状の可動アーム部１２２を備えている。収納部１２１と可動アーム部１２２は、一連であり互いの位置関係は固定である。
両可動アーム部１２２の外側の縁部には、平面視したときの形状がクランク形状とされた第１金具１２２Ａの下端が接続されている。第１金具１２２Ａのベース部材１１０の長手方向の中心よりの部分である接続部１２２Ｂは、ベース部材１１０に固定されている。
第１金具１２２Ａの可動アーム部１２２の縁に垂直で且つベース部材１１０の長手方向に平行な部分には、その部分を貫通する図示を省略の孔が設けられている。この孔は、固定アーム部１１２に接続された固定コの字金具１１２Ａに設けられた上述の孔と、同軸となっている。第１金具１２２Ａに設けられた孔と、固定コの字金具１１２Ａに設けられた孔には、それらをまとめて貫くボルト１２３が挿入されている。
ボルト１２３は、その外周面にネジ切りのしてあるネジ切り部１２３Ａと、ネジ切り部１２３Ａよりもその径が太くされ、且つその外周に歯車状の凹凸が切られた太軸部１２３Ｂとを備えている。ボルト１２３のネジ切り部１２３Ａは、ナット１１２Ｂと螺合されている。
このような構造となっているので、ボルト１２３を回転させた場合には、ボルト１２３（のネジ切り部１２３Ａ）はナット１１２Ｂに対して前後動を行うが、ボルト１２３Ａの太軸部１２３Ｂは、第１金具１２２Ａの前面に常に密着した状態となる。つまり、この実施形態では、ボルト１２３を任意の方向に回転させることにより、固定コの字金具１１２Ａと、第１金具１２２Ａとの距離を変化させられるようになっている。固定コの字金具１１２Ａはベース部材１１０に、第１金具１２２Ａは収納部材１２０にそれぞれ固定されているのであるから、固定コの字金具１１２Ａと、第１金具１２２Ａとの距離を変化させられるということは、即ち、この実施形態では、ベース部材１１０に対して、収納部材１２０を前後動させられ、且つ収納部材１２０のベース部材１１０に対する前後位置を任意に位置決めできることを意味する。
なお、可動アーム部１２２の最も後側の端部には、後述する当接部材が幾つかの部品を介して取付けられているが、そのことについては追って説明する。
【００２８】
収納部１２１は、上述したように断面矩形の筒状である。収納部１２１の幅（前後方向の長さ）は、水平板４１０の幅よりも小さくされており、その長手方向の長さはベース部材１１０の長手方向の長さよりやや短くなるようにされている。
収納部１２１の内部構造について、図９及び図１０を用いて説明を行う。
図９は、収納部材１２０の端部の拡大図であるが、それに示されたように、収納部材１２０の収納部１２１中には、上下方向での移動を行えるようにして収納部１２１に取付けられた移動体１２４が収納されている。移動体１２４は、断面略コの字型をしており、その開口が上向きになるようにして収納部１２１の内側に嵌め込まれている。
移動体１２４の両端には、断面略コの字型の金具を移動体１２４の上から嵌め合わせて固定することによって形成された格納部１２６が設けられている。格納部１２６の上面と下面には、図示を省略するが、孔が穿たれている。２つの孔は円形であり、この実施形態では、必ずしもその限りではないが、同径であり、平面視した場合に対応した位置に存在する。
格納部１２６は、可動部材１２７によって縦方向に貫かれている。可動部材１２７は、後述するような方法で上下動を行うものであり、それが下方に下がった場合に、その下端にある後述の突出片により水平板４１０の下方に置かれた枠体２００の上面を押圧するものである。
可動部材１２７は、その外周にネジ切りのされたボルト部１２７Ａと、ボルト部１２７Ａの下端に設けられた円盤状の係止部１２７Ｃとを備えている。係止部１２７Ｃの下面には、鋭い突出片１２７Ｄが設けられている。突出片１２７Ｄの形状はこの実施形態では円錐形とされているが、必ずしもその限りでなく、木材に押接されたときに木材に食い込むような形状であれば足りる。突出片１２７Ｄは単数でも複数でもよい。図９に示した突出辺１２７Ｄは１つであるが、図３から図８に示された突出辺１２７Ｄは３つとなっている。
【００２９】
ボルト部１２７Ａは、格納部１２６の内側に収納されたその内周面にネジ切りのされたナット１２７Ｅと螺合されている。ナット１２７Ｅは格納部１２６に固定されている。また、ボルト部１２７Ａの周囲には、第１バネ１２７Ｆが設けられている。自然な状態の第１バネ１２７Ｆの長さは、ナット１２７Ｅの上面から格納部１２６の内側の上面までの距離よりも本来は長い。しかしながら、第１バネ１２７Ｆは、その下端がナット１２７Ｅの上面に、その上端が格納部１２６の内側の上面にそれぞれ当接しているので、ナット１２７Ｅと螺合したボルト部１２７Ａを含む可動部材１２７は、所定の弾性力をもって下方に付勢された状態となっている。
ベース部材１１０を水平板４１０に固定したとき、可動部材１２７のボルト部１２７Ａは、格納部１２６の下面、格納部１２６の下面の下方に位置するベース部材１１０、ベース部材１１０と固定されているベース部材１１０の下方に位置する水平板４１０を貫通した状態となる。水平板４１０の厚さの如何によらず、また、水平板４１０の下方に枠体２００が置かれた場合における水平板４１０の下面から枠体２００の上面までの距離の如何によらず、突出片１２７Ｄによる枠体２００の上面の押圧を行えるようにするため、ベース部材１１０の下方に露出する可動部材１２７の長さを変化させることができるようにされている。それは、可動部材１２７を回転させることによって、ナット１２７Ｅに対してボルト部１２７Ａを上下方向に相対動させることによって成しえる。
なお、格納部１２６の下面に設けられる孔は、ボルト部１２７Ａの径と同じで構わないが、ベース部材１１０と、水平板４１０に設けられる可動部材１２７を貫通させるための孔は、図１１に示したような前後方向（図１１の上下方向）に縦長な孔となる。後述するように可動部材１２７は、収納部材１２０の前後動に伴って前後に動くので、上述の２つの孔の長さ方向の長さＬは、収納部材１２０の前後動によって前後動する可動部材１２７と、ベース部材１１０又は水平板４１０が干渉しないような長さとされる。また、特に上述の２つの孔のうち水平板４１０に設けられる孔の幅方向の長さｌは、取り付け装置１００の取付け時に、係止部１２７Ｃが通過できるような長さとする。
収納部１２１の内部には、また、第２バネ１２８（図１０）がある。第２バネ１２８は、その上端を収納部１２１の内側の上面と、その下端を移動体１２４の内側の下面と接続されている。第２バネ１２８は、力をかけていない状態からかなり伸ばした状態で、その両端を収納部１２１と移動体１２４にそれぞれ接続されている。これにより、移動体１２４には常に、収納部１２１の内側の上面に引き寄せられるような力がかかることになる。
【００３０】
収納部１２１の内部には、また、楕円形を長径と短径とに沿って４分割したうちの一つの形状に近い形状とされたカム１２５が設けられている。このカム１２５は、収納部１２１をその幅方向で貫く回転可能な軸１１３に接続されており、軸１１３を中心として９０度程度回転できるようにされており、また、その短径が略鉛直となる向きになった位置（図１０（Ａ）に示された位置）と、その長径が略鉛直となる向きになった位置（図１０（Ｂ）に示された位置）という２つの位置で固定できるようにされている。
軸１１３の後側の端部には、第２リンク機構１４４が接続されている。第２リンク機構１４４の動作にしたがって、軸１１３は回転するようになっている。軸１１３の回転に伴いカム１２５は回転し、カム１２５は上述の２つの位置のいずれかに固定される。第２リンク機構１４４については、後述する。
上述したように、移動体１２４には常に上向きの力が働いている。したがって、移動体１２４が上下方向に移動したとしても、移動体１２４は上方向に位置するカム１２５の先端に強く押接されることになる。このようにして、カム１２５の先端が、移動体１２４の下側の部材の上側の面に当接した状態が常に保たれる。
カム１２５には、その弧の長径と交わる部分と、その弧の短径と交わる部分に直線的な部分を作ってある。したがって、軸１１３の回転によってカム１２５を回転させると、カム１２５は、図１０の（Ａ）の状態と、図１０の（Ｂ）の状態となったときに、その弧の長径と交わる部分と、短径と交わる部分に作ってある直線的な部分が移動体１２４の内側の下面に当接して安定した状態となる。これにより、カム１２５と移動体１２４は、図１０の（Ａ）の状態と、図１０の（Ｂ）の状態となったときに安定して固定された状態となる。
【００３１】
上述したように、可動アーム部１２２の最も後側の端部には、当接部材が幾つかの部品を介して取付けられる。当接部材は、図３から図８にも現れているが、理解の容易のために、当接部材付近を模式的に示した図１２を参照して、当接部材及びその近辺の構造を説明する。
図１２に示したように、可動アーム部１２２の後側（図１２の右方向）の端部には、下方に向かって延びる、断面コの字型の懸垂金具１４１が、例えば、ネジ止めによって取付けられる。懸垂金具１４１には、孔１４１Ａが穿たれている。その孔１４１Ａの後側には、その内周面にネジ切りのされたナット１４２が配されている。そして、ナット１４２と、孔１４１Ａを貫通するようにして、断面円形の支持棒１４３Ａが配されている。支持棒１４３Ａは、その外周面にネジ切りがされており、ナット１４２と螺合している。支持棒１４３Ａの前側の端部には、この実施形態では硬質なゴムによって形成の支持棒１４３Ａよりも大径とされた円筒形の当接部材１４３Ｂが支持棒１４３Ａに対して同軸の状態となるようにして取付けられている。
当接部材１４３Ｂは、回転させることによってナット１４２に対して前後動する支持棒１４３Ａの前後動に応じて前後動する。当接部材１４３Ｂは、図１２に示したように、枠体２００が配されたときに、枠体２００の上側の部材に後側から当接させられるようになっている。当接部材１４３Ｂを前後動させられるようにしているのは、当接部材１４３Ｂの枠体２００に対する押接の程度を調整できるようにするためである。
なお、この実施形態では、孔１４１Ａを上下方向に長い長孔とすることにより、当接部材１４３Ｂの上下方向の位置を調節できるようにしている。このような当接部材１４３Ｂの位置調節のための工夫は適宜行なえば良い。
【００３２】
上述したように、収納部材１２０のベース部材１１０に対する前後位置は任意に位置決めできるようになっており、それはボルト１２３の回転により実現されることとなっていた。
この取付け装置１００は、ボルト１２３に回転を行なわせるための以下のような構造を備えている。
【００３３】
第１金具１２２Ａの可動アーム部１２２のボルト１２３を貫通させるための孔を有するやや広い面積の板状の部分の傍に、当該板状の部分に沿うようにして、上下方向に延びる第１操作部材５００が設けられている。
第１操作部材５００は、この実施形態では、断面コの字型で棒状の第１棒状部材５１０を備えている。第１棒状部材５１０はその下方に、ボルト１２３を貫通させるための図示を省略の孔を備えており、その孔をボルト１２３で貫通させた状態となっている。第１棒状部材５１０の上方には、ボルト１２３の太軸部１２３Ｂと同様に構成された操作太軸部５２０が設けられている。操作太軸部５２０は回転可能となっている。操作太軸部５２０の前後には、操作太軸部５２０よりもその直径がやや小さい軸部５２１が設けられており、２つの軸部５２１はその後方のものが、第１棒状部材５１０に、その前方のものが、側面視クランク型に形成され且つ第１棒状部材５１０に固定されているクランク金具５２３に、それぞれ軸支されている。操作太軸部５２０は、幕板４３０の後側の空間に位置するが、第１棒状部材５１０はそれを可能とする長さとなっている。
前方に位置する軸部５２１の前側の面には、所定の工具と接続するための穴５２２が設けられている。この穴５２２は、この実施形態では、六角レンチの先端を差し込むことのできるようなものとされ、断面六角形で所定の深さを有するものとされている。
そして、ボルト１２３の太軸部１２３Ｂと、操作太軸部５２０とは、その双方の周囲を囲むように掛け渡された無端ベルト５３０で接続されている。無端ベルト５３０は所定の幅を有する帯状体であり、一定の堅さと柔軟性を有する合成樹脂（合成ゴム）により形成されており、且つその内側には、太軸部１２３Ｂと、操作太軸部５２０が有する歯車状の凹凸に噛み合う凹凸が形成されている。
このような構成により、六角レンチの先端を穴５２２に差し込んで回すことによって生じた操作太軸部５２０の回転は、無端ベルト５３０を介して太軸部１２３Ｂに伝えられ、結果としてボルト１２３を回転させる。六角レンチの回転方向に応じて、ボルト１２３の回転方向を変化させられるのはもちろんのことである。六角レンチを適当に回転させることにより、ボルト１２３を適当に回転させることが可能になり、それにより、収納部材１２０のベース部材１１０に対する前後位置は任意に位置決めできる。
【００３４】
第１棒状部材５１０は、必ずしもこの限りではないが、この実施形態では、ボルト１２３を軸として、第１金具１２２Ａの可動アーム部１２２のボルト１２３を貫通させるための孔を有するやや広い面積の板状の部分に平行な平面内で、一定の角度範囲で回転できるようになっている。
かかる回転を許容するため、第１金具１２２Ａの可動アーム部１２２のボルト１２３を貫通させるための孔を有するやや広い面積の板状の部分には、弓形のスリット１２２Ｓが設けられている。このスリット１２２Ｓは、ボルト１２３の中心軸を中心として描かれる円弧の一部となっている。第１棒状部材５１０のスリット１２２Ｓに対応する部分には、図示を省略の孔が穿たれている。そして、その孔よりも直径の大きい頭部を有するボルト５４０のネジ切り部５４１に、その孔とスリット１２２Ｓを纏めて貫通させる。そのようにすることで、スリット１２２Ｓからその先端が露出したボルト５４０のネジ切り部５４１には、蝶ナット５４２が螺合させられている。
蝶ナット５４２を締め付けると、第１棒状部材５１０と第１金具１２２Ａは、蝶ナット５４２とボルト５４０の頭部との間で強く挟持され、互いの位置が固定されるが、蝶ナット５４２を緩めると、第１棒状部材５１０は、ボルト１２３を軸として回転可能となる。第１棒状部材５１０の回転はボルト１２３を軸として行なわれるので、第１棒状部材５１０を回転させたとしても、ボルト１２３の太軸部１２３Ｂと、無端ベルト５３０の関係は変化しない。したがって、第１棒状部材５１０の回転は、六角レンチによる太軸部１２３Ｂの回転により収納部材１２０のベース部材１１０に対する前後位置の位置決めを妨げない。
以上の構成により、第１棒状部材５１０は上述の如き回転が許容されている。
【００３５】
この取付け装置１００は、上述したように、軸１１３の回転により、移動体１２４を上下させることができ、それにより遊技機が取付けられた枠体２００を上側から押圧したり、また、その押圧を解除したりできるようになっている。
軸１１３の回転のためにリンク機構１４４が機能することは上述した通りである。このリンク機構１４４について以下、説明する。
リンク機構１４４は、収納部１２０の直後に立てられたかなり大きな面積の目隠し板１４５の後側に設けられている。
目隠し板１４５の上端付近には、円筒形状の円筒部材１４６が設けられている。円筒部材１４６は、その前側の端部を、目隠し板１４５に、その後側の端部を、側面視クランク型に形成され且つ目隠し板１４５に取付けられた第２クランク金具１４７にそれぞれ固定されている。
円筒部材１４６の前側の円形の面には、所定の工具と接続するための穴１４６Ａが設けられている。この穴１４６Ａは、この実施形態では、六角レンチの先端を差し込むことのできるようなものとされ、断面六角形で所定の深さを有するものとされている。円筒部材１４６は、幕板４３０の後側の空間に位置する。
リンク機構１４４は、円筒部材１４６と、軸１１３を接続するものであり、円筒部材１４６の回転を軸１１３に伝達するものである。それが可能な限りリンク機構１４４はどのような構成が採用されたものであっても構わないが、この実施形態におけるリンク機構１４４は、３本の棒状の部材１４４Ａ、１４４Ｂ、１４４Ｃを備えている。部材１４４Ａの一端は、円筒部材１４６と固定されており、また、部材１４４Ａの他端は、部材１４４Ｂの一端と接続されている。部材１４４Ｂの他端は、部材１４４Ｃの一端と接続されており、部材１４４Ｃの他端は、軸１１３と接続されている。この実施形態におけるリンク機構１４４は、部材１４４Ａ、１４４Ｂ、１４４Ｃが平行四辺形中の３辺の関係を保ったまま移動させられるというよく知られた原理を用いて、円筒部材１４６の回転をそのまま、軸１１３に伝える。
以上の如き構成により、円筒部材１４６の穴１４６Ａに挿入した六角レンチを回転させることにより、移動体１２４を上下させることができ、それにより遊技機が取付けられた枠体２００を上側から押圧したり、また、その押圧を解除したりできるようになっている。
【００３６】
次いで、この取り付け装置１００の使用方法について説明する。
取り付け装置１００を使用するにあたっては、まず、取り付け装置１００を島４００の水平板４１０に固定する。
上述したように、取り付け装置１００は、水平板４１０の上側の面に固定される。取り付け装置１００を水平板４１０に固定する場合には、水平板４１０に予め設けられた２つの孔に取り付け装置１００が有する可動部材１２７を貫通させてから、ベース部材１１０を適当な方法で水平板４１０に固定する。
取り付け装置１００の水平板４１０への取付けに前後して、水平板４１０の下方に突出する可動部材１２７の長さを調整するために、必要に応じて、可動部材１２７を回転させる。水平板４１０の下方に突出する可動部材１２７の長さの調整は、取り付け装置１００の水平板４１０への固定に先んじて行っても構わない。
次に、支持棒１４３Ａを回転させて、当接部材１４３Ｂの前後方向の位置を、適当に位置決めする。当接部材１４３Ｂは、テーブルに載った状態で前側から押し込まれた枠体２００の背面がそこに止まると好ましい位置に、その先端が位置するようにする。なお、当接部材１４３Ｂの位置決めは、取り付け装置１００の水平板４１０への固定に先んじて行っても構わない。
次に、取り付け装置１００とテーブルに挟まれた空間に、遊技機の固定された枠体２００を嵌め込む。このとき、枠体２００は、枠体２００の下面がテーブルの上側の面に当接するようにして、テーブル上に載置される。当接部材１４３Ｂの位置が予め調整してあるので、２つの当接部材１４３Ｂの双方に枠体２００の背面を当接させるだけで、枠体２００及び遊技機は、前後方向における適当な位置に位置決めされることになる。
なお、この状態では、カム１２５は、図１０（Ａ）に示された位置に位置するようにされている。この状態では、カム１２５の弧の短径と交わる部分が、移動体１２４の内側の下面に当接している。
次いで、幕板４３０を開き、幕板４３０の背後の空間に位置していた円筒部材１４６の穴１４６Ａに挿入した六角レンチを回転させることにより、軸１１３を回転させ、それによりカム１２５を回転させる。カム１２５が回転し、第２バネ１２８からの力に抗してその全体が押し下げられて移動体１２４は下方向に移動する。これにより、カム１２５は、図１０（Ｂ）に示された位置に位置することになる。この状態では、カム１２５の弧の長径と交わる部分が、移動体１２４に当接することになる。
移動体１２４の下方向への移動に伴って、移動体１２４の両端に設けられた格納部１２６も下方に下がる。それにより、格納部１２６に取付けられた可動部材１２７も下方に下がり、可動部材１２７の先端の突出片１２７Ｄが枠体２００の上面に食い込んで枠体２００の上面を下方向に押圧する。枠体２００が木製又はアルミ製であれば、突出変１２７Ｄは問題なく枠体２００の上面に食い込む。それにより、枠体２００は、テーブルと可動部材１２７によって挟持され、島４００に固定されることになる。このとき、枠体２００の上面の位置が予定された位置よりも多少上側にあったとしても、枠体２００の固定には問題は生じない。そのような場合には、突出片１２７Ｄの設けられた係止部１２７Ｃは、ナット１２７Ｅが第１バネ１２７Ｆによる下向きの付勢力に抗して上方に上がることにより、上方向に多少移動するからである。
なお、この状態で、取り付け装置１００の所定の部位（例えば、固定アーム部１１２）と、枠体２００の所定の部位（例えば、枠体２００の左右の部材、或いは上の部材）とを、紐などの線状体で適当に結んでおくか、取り付け装置１００の所定の部位に結んだ線状体を枠体２００に引っ掛けておくとよい。これは、取り付け装置１００による枠体２００の固定を解除したときに枠体２００の転倒を防止できる点で有用である。
枠体２００を島４００に固定し、必要であれば、ボルト１２３を回転させ、ボルト１２３をナット１１２Ｂに対して前後動させ位置決めすることにより、収納部材１２０を前後方向で適当に位置決めする。そうすることにより、可動部材１２７によって固定された枠体２００の上面が前後動させられるので、遊技機の傾斜角の調整が可能となる。上述した通りであるが、ボルト１２３の回転は、幕板４３０を開き、幕板４３０の背後の空間に位置していた操作太軸部５２０の穴５２２に六角レンチの先端を挿入して六角レンチを回転させることにより行なう。なお、かかる収納部材１２０の位置決めは、収納部材１２０の両端に位置する２つのボルト１２３の双方を適切に回転させることにより、正確に行うことができる。
以上のようにして、枠体２００の島４００への固定が終了する。
枠体２００を島４００から取外すときは、細々とした調整は不要であるが、基本的には上述の作業を逆に行えばよい。
【００３７】
なお、この実施形態における第１操作部５００は、以下のように変更させることができる。
この実施形態における第１操作部は、上述したように、第１棒状部材の上端に操作太軸部５２０が設けられており、それを六角レンチで回転させることにより、ボルト１２３にボルト１２３と同軸で設けられた太軸部１２３Ｂを回転させるようになっていた。そして、操作太軸部５２０から太軸部１２３Ｂへの動力の伝達は、操作太軸部５２０と太軸部１２３Ｂの双方に掛け渡された無端ベルト５３０により行なうこととしていた。これを以下のように変更できる。
図１３に示すように、まず、ボルト１２３に、太軸部１２３Ｂに代えて、第１傘歯車１２３Ｃを設ける。
そして、操作太軸部５２０と無端ベルトに代えて、操作摘み５４０、伝達軸５４１、第２傘歯車５４２を設ける。伝達軸５４１は、図示を省略するが、第１棒状部材５１０に沿うようにされ、且つ第１棒状部材５１０に適当に軸支されている。第２傘歯車５４２は、第１傘歯車１２３Ｃと互いに噛み合うようにされている。
このようにすると、操作摘み５４０を任意の方向に回転させると（伝達軸５４１の軸周りに回転させると）、それに伴い伝達軸５４１が回転する。伝達軸５４１が回転するとそれに伴い第２傘歯車５４２が回転し、第２傘歯車５４２と噛み合っている第１傘歯車１２３Ｃが回転する。これにより、操作摘み５４０を回転させることにより、ボルト１２３を回転させられるようになる。ボルト１２３の回転方向はもちろん、操作摘み５４０の回転方向を変更することにより変更することができる。
なお、第２傘歯車５４２は、第１傘歯車１２３Ｃと噛み合せたまま、ボルト１２３に直交する平面内で回転させることができるため、この例においても、上述の実施形態の場合と同様の第１棒状部材５１０の回転は許容される。
【符号の説明】
【００３８】
１１０  ベース部材
１１３  軸
１２０  収納部材
１２１  収納部
１２２  可動アーム部
１２２Ｓ  スリット
１２３  ボルト
１２４  移動体
１２５  カム
１２６  格納部
１２７  可動部材
１２７Ｆ  第１バネ
１２８  第２バネ
１４４  リンク機構
１４５  目隠し板
１４６  円筒部材
１４６Ａ  穴
１４７  第２クランク金具
２００  枠体
４００  島
４１０  水平板
４２０  ランプ板
４３０  幕板
５００  第１操作部材
５１０  第１棒状部材
５２０  操作太軸部
５２１  軸部
５２２  穴
５２３  クランク金具
５３０  無端ベルト
５４０  ボルト
５４２  蝶ナット
【図１】
0005389596.tif 000002
【図２】
0005389596.tif 000003
【図３】
0005389596.tif 000004
【図４】
0005389596.tif 000005
【図５】
0005389596.tif 000006
【図６】
0005389596.tif 000007
【図７】
0005389596.tif 000008
【図８】
0005389596.tif 000009
【図９】
0005389596.tif 000010
【図１０】
0005389596.tif 000011
【図１１】
0005389596.tif 000012
【図１２】
0005389596.tif 000013
【図１３】
0005389596.tif 000014